(57)【要約】【課題】面倒な作業を必要とせずに、誰でも簡単に各種データの設定変更を行うことのでできる保守端末装置を提供する。【解決手段】保守端末装置２１は、制御盤内に設置されたコンピュータに接続するためのインタフェース部３６を備える。また、保守端末装置２１は、監視センタから客先のエレベータの仕様データを取得し、その仕様データに基づいて設定変更可能な各項目の波形を表示し、その波形を変更することで当該項目のデータをコンピュータに設定する機能を備える。これにより、面倒な作業を必要とせずに誰でも簡単に各種データの設定変更を行うことができる。【選択図】      図２
2008037629.tif 000002
【特許請求の範囲】
【請求項１】
エレベータの運転制御を行うコンピュータと接続するためのインタフェース手段と、
上記エレベータの仕様データを取得する仕様データ取得手段と、
この仕様データ取得手段によって得られた仕様データに基づいて、設定変更可能な各項目毎にそのデータの波形を所定の画面上に表示する表示手段と、
この表示手段によって表示された波形を所定の操作に従って変更する波形変更手段と、
この波形変更手段によって変更された波形に基づいて当該項目に関するデータを上記インタフェース手段を介して上記コンピュータに設定するデータ設定手段と
を具備したことを特徴とするエレベータの保守端末装置。
【請求項２】
上記設定変更可能な各項目には、乗りかごの荷重調整、乗りかごの走行パターンの調整、かごドアの調整を含むことを特徴とする請求項１記載のエレベータの保守端末装置。
【請求項３】
上記波形変更手段は、上記所定の画面上に表示された波形の中で設定変更可能な部分を明示することを特徴とする請求項１記載のエレベータの保守端末装置。
【請求項４】
利用者を認証する認証手段を備え、
この認証手段による認証結果に基づいて本装置の使用が許可されることを特徴とする請求項１記載のエレベータの保守端末装置。
【発明の詳細な説明】
【技術分野】
【０００１】
本発明は、制御盤内に設置されたコンピュータにアクセスして各種データの設定変更を行う場合に用いて好適なエレベータの保守端末装置に関する。
【背景技術】
【０００２】
エレベータの制御盤には、エレベータの制御装置として用いられるコンピュータが設置されている。このコンピュータのメモリには、エレベータの運転動作を制御するための各種データが設定されている。上記各種データには、例えば乗りかごの荷重調整（乗りかごとカウンタウェイトとの釣り合い制御）、乗りかごの走行パターンの調整、かごドアの調整に関するデータなどがある。
【０００３】
通常、これらのデータの設定変更を行う場合には、所謂「保守ツール」と呼ばれている携帯型の端末装置を用いる。保守員はこの端末装置を制御盤内のコンピュータに接続した後、設定変更の対象となるデータのアドレスを読み出し、そのアドレスに対するデータを入力するといった操作を行う。
【０００４】
その際、コンピュータに計測器を繋げて、その計測器の画面上で入力データの波形を確認しながら、不十分な場合には再度データを入力し直して調整するといった作業を繰り返すことになる。
【０００５】
従来、このようなデータの設定変更に関し、制御盤内にタッチパネル機能付きのモニタ画面を設置しておき、そのモニタ画面上で各種データの入力を行うものが知られている（例えば、特許文献１参照）。
【特許文献１】特開２００３−３００６８０号公報
【発明の開示】
【発明が解決しようとする課題】
【０００６】
上述したように、コンピュータ上のデータを設定変更する場合には、コンピュータに関する専門的な知識が必要であり、さらに、計測器を用いて入力データの波形を確認しながら調整するといった面倒な作業が必要であった。
【０００７】
なお、上記特許文献１のようにタッチパネルを用いてデータ入力を行う方法もあるが、各項目毎に具体的なデータを入力する必要があるため、十分な知識がないと、どのようなデータを入力して良いのか分からないなどの問題がある。
【０００８】
本発明は上記のような点に鑑みなされたもので、面倒な作業を必要とせずに、誰でも簡単に各種データの設定変更を行うことができるエレベータの保守端末装置を提供することを目的とする。
【課題を解決するための手段】
【０００９】
本発明のエレベータの保守端末装置は、エレベータの運転制御を行うコンピュータと接続するためのインタフェース手段と、上記エレベータの仕様データを取得する仕様データ取得手段と、この仕様データ取得手段によって得られた仕様データに基づいて、設定変更可能な各項目毎にそのデータの波形を所定の画面上に表示する表示手段と、この表示手段によって表示された波形を所定の操作に従って変更する波形変更手段と、この波形変更手段によって変更された波形に基づいて当該項目に関するデータを上記インタフェース手段を介して上記コンピュータに設定するデータ設定手段とを具備して構成される。
【発明の効果】
【００１０】
本発明によれば、面倒な作業を必要とせずに、誰でも簡単に各種データの設定変更を行うことができる。
【発明を実施するための最良の形態】
【００１１】
以下、図面を参照して本発明の実施形態を説明する。
【００１２】
図１は本発明の一実施形態に係る保守端末装置が適用されるエレベータの構成を示す図である。
【００１３】
例えばビルの機械室などにエレベータの制御盤１１が設けられている。なお、機械室のないエレベータ、所謂「マシンルームレスエレベータ」では、制御盤１１が昇降路内の上部に設置されることもある。この制御盤１１内には、マイコン基板１２、モータ制御基板１３などが設置されている。マイコン基板１２は、エレベータの運転制御を行うコンピュータ（主制御装置）の基板であり、その基板上にはエレベータの運転動作に必要な各種データを記憶したメモリ１２ａを有する。
【００１４】
モータ制御基板１３は、マイコン基板１２から出力されるモータ制御指令に従って巻上機１８の駆動を制御する。巻上機１８にはロープ１９が巻き掛けられており、巻上機１８の駆動に伴い、このロープ１９を介して乗りかご１４とカウンタウェイト２０が昇降路内をつるべ式に昇降動作する。
【００１５】
また、マイコン基板１２には、乗りかご１４内に設置されたかご内制御基板１５、ドア制御基板１６や各階床の乗場に設けられた乗場制御基板１７が接続されている。かご内制御基板１５は、例えばかご呼びの登録制御など、乗りかご１４内の各種動作に関する制御を行う。ドア制御基板１６は、各階床の着床時などにかごドアの開閉制御を行う。乗場制御基板１７は、例えば乗場呼びの登録制御やインジゲータの表示制御など、乗場での各種動作に関する制御を行う。
【００１６】
一方、保守端末装置２１は、持ち運びが容易な携帯型の通信端末装置からなり、データ設定変更用のアプリケーションソフトを含む各種ソフトウエアが搭載されている。この保守端末装置２１は、エレベータの監視センタ２２との通信機能を備えると共に、データ変換基板２３および光ケーブル２４を介して制御盤１１内のマイコン基板１２に接続するためのインタフェース機能を備える。
【００１７】
データ変換基板２３は、保守端末装置２１とマイコン基板１２との間のデータの互換性を取るためのコンバータである。なお、保守端末装置２１に予めコンバータ機能が搭載されていれば、データ変換基板２３は必要である。
【００１８】
また、監視センタ２２は、各地に点在するエレベータの運転状態を各物件（客先）毎に遠隔監視しており、保守端末装置２１とは公衆回線等のネットワーク２５を介して接続される。
【００１９】
図２は同実施形態における保守端末装置の機能構成を示すブロック図である。
【００２０】
保守端末装置２１は、制御部３１、操作部３２、表示部３３、記憶部３４、通信部３５、インタフェース部３６を備える。
【００２１】
制御部３１は、本装置全体の制御を行うマイクロコンピュータからなる。この制御部３１は、予め記憶部３４に記憶された各種プログラムを読み込むことにより、これらのプログラムに従った処理を実行する。この制御部３１は、認証部３１ａ、仕様データ取得部３１ｂ、波形表示部３１ｃ、波形変更部３１ｄ、データ設定部３１ｅを備える。なお、これらの処理部３１ａ〜３１ｅは、実際にはソフトウエアで実現される。
【００２２】
認証部３１ａは、操作部３２を通じて入力されるユーザＩＤとパスワードに基づいて利用者を認証し、予め許可された利用者である場合のみ本装置の使用を許可する。
【００２３】
仕様データ取得部３１ｂは、監視センタ２２にアクセスして、エレベータの仕様データを取得するための処理を行う。
【００２４】
波形表示部３１ｃは、仕様データ取得部３１ｂによって取得されたエレベータの仕様データに基づいて、設定変更可能な各項目毎にそのデータの波形を表示部３３の画面３３ａ上に表示するための処理を行う。上記設定変更可能な各項目には、乗りかご１４の荷重調整（乗りかご１４とカウンタウェイト２０との釣り合い制御）、乗りかご１４の走行パターンの調整（乗り心地調整）、かごドアの調整を含む。
【００２５】
波形変更部３１ｄは、波形表示部３１ｃによって表示された波形を所定の操作に従って変更するための処理を行う。上記所定の操作とは、具体的にはドラッグ操作である。すなわち、波形変更部３１ｄは、表示部３３の画面３３ａ上に表示された波形の中で設定変更可能な部分をポインタにて明示し、その部分を利用者によるポインタのドラッグ操作に従って変更する。
【００２６】
データ設定部３１ｅは、波形変更部３１ｄによって変更された波形に基づいて当該項目に関するデータをインタフェース部３６を介して制御盤１１内のマイコン基板１２に設定するための処理を行う。
【００２７】
また、この制御部３１には、操作部３２、表示部３３、記憶部３４、通信部３５、インタフェース部３６が接続されている。
【００２８】
操作部３２は、例えばキーボードや各種ボタンなどからなり、各種データの入力操作を行う。表示部３３は、例えばＬＣＤ（Ｌｉｑｕｉｄ  Ｃｒｙｓｔａｌ  Ｄｉｓｐｌａｙ）などからなる。なお、この表示部３３上にタッチパネルを配置し、画面３３ａをペンなどでタッチしてデータを入力するような構成であっても良い。
【００２９】
記憶部３４は、本装置の処理動作に必要な各種データを記憶しており、例えばＲＯＭやＲＡＭなどのメモリデバイスで構成される。この記憶部３４は、各種プログラムを記憶したプログラム記憶領域３４ａ、予め登録されたユーザＩＤ（識別情報）を記憶したＩＤ記憶領域３４ｂ、予め登録されたパスワードを記憶したパスワード記憶領域３４ｃを有する。
【００３０】
通信部３５は、所定の通信プロトコルに従って監視センタ２２との通信処理を行う。インタフェース部３６は、制御盤１１内のマイコン基板１２に接続するためのインタフェース処理を行う。
【００３１】
このような構成において、例えばエレベータを新規に設置した場合や、既に設置されているエレベータの仕様変更を行う場合などにおいて、保守員は、保守端末装置２１を所持して制御盤１１の設置場所に行き、この保守端末装置２１を制御盤１１内のマイコン基板１２に接続した状態で当該エレベータのデータ設定変更操作を行う。
【００３２】
その際、保守端末装置２１の表示部３３にデータ設定変更操作に必要となる各種画面が階層的に表示され、これらの画面に従って各項目のデータを設定するように構成されている。
【００３３】
図３は同実施形態における保守端末装置の画面階層構造を示す図である。
【００３４】
初期画面として、利用者を認証するための利用者認証画面５０が表示される。データ設定変更時に表示される各種画面は、この利用者認証画面５０を起点に階層化されており、各画面上に表示されているボタンを押下（クリックまたはタッチ）することにより実行・確定・画面移動が行えるようになっている。
【００３５】
利用者認証画面５０の下層には客先の仕様データを検索するための客先検索画面５１が設けられ、さらに、その客先検索画面５１の下層には検索結果として得られた仕様データを表示するための客先仕様画面５２が設けられている。
【００３６】
この客先仕様画面５２の下層に、データの設定変更が可能な各項目に対応した調整画面が設けられている。ここでは、荷重調整画面（荷重調整のメイン画面）５３、乗心地調整画面（乗心地調整のメイン画面）５６、ドア調整画面（ドア調整のメイン画面）６０が設けられ、これらの画面の下層にさらに各項目に対応した調整を行うための画面が設けられている。
【００３７】
すなわち、荷重調整画面（荷重調整のメイン画面）５３の下層には、乗りかご１４の上昇時における荷重調整を行うための上昇調整画面５４と、下降時における荷重調整を行うための下降調整画面５５が設けられている。
【００３８】
乗心地調整画面（乗心地調整のメイン画面）５６の下層には、着床ベースでの調整を行うための着床ベース調整画面５７と、距離ベースでの調整を行うための距離ベース調整画面５８と、時間ベースでの調整を行うための時間ベース調整画面５９とが設けられている。
【００３９】
ドア調整画面（ドア調整のメイン画面）６０の下層には、ドアの開閉速度を調整するためのドア速度調整画面６１が設けられている。
【００４０】
次に、同実施形態の動作を説明する。  
図４は同実施形態における保守端末装置の処理動作を示すフローチャートである。
【００４１】
今、保守員が保守端末装置２１を制御盤１１内のマイコン基板１２に接続した状態で、そのマイコン基板１２によって制御されるエレベータの荷重調整、走行パターン調整、かごドア調整を行う場合を想定して説明する。
【００４２】
まず、所定の操作により保守端末装置２１の「データ設定変更機能」を起動すると、初期画面として利用者認証画面５０が表示される（ステップＳ１１）。この利用者認証画面５０には、図６に示すように、ユーザＩＤの入力項目５０ａ、パスワードの入力項目５０ｂ、認証機能を起動するための認証ボタン５０ｃ、調整終了を指示するための終了ボタン５０ｄが設けられている。
【００４３】
ここで、保守員が操作部３２を通じてユーザＩＤを利用者認証画面５０の入力項目５０ａに入力すると共に、パスワードを入力項目５０ｂに入力した後、認証ボタン５０ｃを押下すると（ステップＳ１２）、これらの入力情報に基づいてユーザ認証処理が実行される（ステップＳ１３）。
【００４４】
このユーザ認証処理では、上記利用者認証画面５０の入力項目５０ａに入力されたユーザＩＤと予め記憶部３４のＩＤ記憶領域３４ｂに記憶されたユーザＩＤとが比較される。また、上記利用者認証画面５０の入力項目５０ｂに入力されたパスワードと予め記憶部３４のパスワード記憶領域３４ｃに記憶されたパスワードとが比較される。これらの情報が一致し、利用者が予め許可された者であると認証されると（ステップＳ１４のＹｅｓ）、本装置の使用が許可され、以下のような処理が実行される（ステップＳ１５）。
【００４５】
すなわち、上記利用者認証画面５０にて利用者が認証されると、続いて客先検索画面５１が表示される（ステップＳ１６）。この客先検索画面５１には、図７に示すように、エレベータの製造番号を入力するための入力項目５１ａ、号機の番号を入力するための入力項目５１ｂ、データ送信を指示するための送信ボタン５１ｃ、調整終了を指示するための終了ボタン５０ｄが設けられている。
【００４６】
この客先検索画面５１において、７桁の製造番号と号機の番号を入力項目５１ａ，５１ｂのそれぞれに入力した後、送信ボタン５１ｃを押下すると（ステップＳ１７）、上記入力された製造番号と号機番号のデータが仕様データ要求信号と共に監視センタ２２に送信される（ステップＳ１８）。監視センタ２２では、上記仕様データ要求信号を受けることで、図示せぬ客先データベースから当該製造番号と号機番号に対応した客先の仕様データを検索し、これを保守端末装置２１に送信する。このようにして、保守端末装置２１では、監視センタ２２から客先の仕様データを取得する（ステップＳ１９）。
【００４７】
この仕様データは、図８に示す客先仕様画面５２のデータ表示部５２ａに所定の形式で表示される（ステップＳ２０）。この客先仕様画面５２には、データ設定変更可能な項目（ここでは「荷重調整」，「乗り心地」，「ドア調整」）を選択するための各種調整項目選択ボタン５２ｂ〜５２ｄ、トップ画面（ここでは客先検索画面５１）に戻るためのトップボタン５２ｅ、調整終了を指示するための終了ボタン５０ｄが設けられている。
【００４８】
ここで、「荷重調整」の項目選択ボタン５２ｂを押下すると（ステップＳ２１のＹｅｓ）、図９に示すような荷重調整画面５３が表示され、乗りかご１４の荷重調整（乗りかご１４とカウンタウェイト２０との釣り合い制御）に関する処理が実行される（ステップＳ２２）。
【００４９】
荷重調整画面５３には、データ表示部５３ａ、上昇調整ボタン５３ｂ、下降調整ボタン５３ｃ、トップボタン５２ｅ、終了ボタン５０ｄが設けられている。データ表示部５３ａには、荷重調整に関する客先の仕様データが表示される。上昇調整ボタン５３ｂは乗りかご１４の上昇時の調整を行うためのボタン、下降調整ボタン５３ｃは乗りかご１４の下降時の調整を行うためのボタンである。
【００５０】
ここで、上昇調整ボタン５３ｂを押下すると、図１０に示すような上昇調整画面５４に切り替わる。この上昇調整画面５４には、波形表示部５４ａ、上昇調整ボタン５３ｂ、下降調整ボタン５３ｃ、トップボタン５２ｅ、終了ボタン５０ｄ、確定ボタン５４ｄが設けられている。
【００５１】
波形表示部５４ａには、荷重調整に関する客先の仕様データに基づいて上昇用のトルク制御データの波形５４ｂが表示されると共に、その波形５４ｂの中で設定変更可能な部分がポインタ５４ｃにて明示される。このポインタ５４ｃをドラッグ操作などで移動させると、それに伴い波形が変更される。図１０の例では、最下階→最下階＋１のＵＰ運転時のトルク（荷重ゲイン）をポインタ５４ｃの操作にて調整変更するように構成されている。確定ボタン５４ｄを押下すると、変更後の波形に基づいてデータが確定され、マイコン基板１２に転送されてメモリ１２ａに設定される。
【００５２】
また、下降調整ボタン５３ｃを押下すると、図１１に示すような下降調整画面５５に切り替わる。この下降調整画面５５には、波形表示部５５ａ、上昇調整ボタン５３ｂ、下降調整ボタン５３ｃ、トップボタン５２ｅ、終了ボタン５０ｄ、確定ボタン５４ｄが設けられている。
【００５３】
波形表示部５５ａには、荷重調整に関する客先の仕様データに基づいて下降用のトルク制御データの波形５５ｂが表示されると共に、その波形５５ｂの中で設定変更可能な部分がポインタ５５ｃにて明示される。このポインタ５５ｃをドラッグ操作などで移動させると、それに伴い波形が変更される。図１１の例では、最上階→最上階−１のＤＯＷＮ運転時のトルク（荷重ゲイン）をポインタ５５ｃの操作にて調整変更するように構成されている。確定ボタン５４ｄを押下すると、変更後の波形に基づいてデータが確定され、マイコン基板１２に転送されてメモリ１２ａに設定される。
【００５４】
一方、上記客先仕様画面５２において、「乗心地調整」の項目選択ボタン５２ｃを押下すると（ステップＳ２３のＹｅｓ）、図１２に示すような乗心地調整画面５６が表示され、乗りかご１４の乗り心地調整に関する処理が実行される（ステップＳ２４）。
【００５５】
乗心地調整画面５６には、データ表示部５６ａ、着床ベースパターンボタン５６ｂ、距離ベースパターンボタン５６ｃ、時間ベースパターンボタン５６ｄ、トップボタン５２ｅ、終了ボタン５０ｄが設けられている。データ表示部５３ａには、乗心地調整に関する客先の仕様データが表示される。着床ベースパターンボタン５６ｂは着床ベースでの走行パターンの調整を行うためのボタン、距離ベースパターンボタン５６ｃは距離ベースでの走行パターンの調整を行うためのボタン、時間ベースパターンボタン５６ｄは時間ベースでの走行パターンの調整を行うためのボタンである。
【００５６】
ここで、着床ベースパターンボタン５６ｂを押下すると、図１３に示すような着床ベース調整画面５７に切り替わる。この着床ベース調整画面５７には、波形表示部５７ａ、着床ベースパターンボタン５６ｂ、距離ベースパターンボタン５６ｃ、時間ベースパターンボタン５６ｄ、トップボタン５２ｅ、終了ボタン５０ｄ、確定ボタン５４ｄが設けられている。
【００５７】
波形表示部５７ａには、乗心地に関する客先の仕様データに基づいて乗りかご１４の走行制御パターンの波形５７ｂが表示されると共に、その波形５７ｂの中で設定変更可能な部分がポインタ５７ｃにて明示される。このポインタ５７ｃをドラッグ操作などで移動させると、それに伴い波形が変更される。図１３の例では、乗りかご１４の着床直前の速度をポインタ５７ｃの操作にて調整変更するように構成されている。確定ボタン５４ｄを押下すると、変更後の波形に基づいてデータが確定され、マイコン基板１２に転送されてメモリ１２ａに設定される。
【００５８】
また、距離ベースパターンボタン５６ｃを押下すると、図１４に示すような距離ベース調整画面５８に切り替わる。この距離ベース調整画面５８には、波形表示部５８ａ、着床ベースパターンボタン５６ｂ、距離ベースパターンボタン５６ｃ、時間ベースパターンボタン５６ｄ、トップボタン５２ｅ、終了ボタン５０ｄ、確定ボタン５４ｄが設けられている。
【００５９】
波形表示部５８ａには、走行制御に関する客先の仕様データに基づいて乗りかご１４の走行制御パターンの波形５７ｂが表示されると共に、その波形５７ｂの中で設定変更可能な部分がポインタ５８ｂにて明示される。このポインタ５８ｂをドラッグ操作などで移動させると、それに伴い波形が変更される。図１４の例では、乗りかご１４の移動距離をポインタ５８ｂの操作にて調整変更するように構成されている。確定ボタン５４ｄを押下すると、変更後の波形に基づいてデータが確定され、マイコン基板１２に転送されてメモリ１２ａに設定される。
【００６０】
また、時間ベースパターンボタン５６ｄを押下すると、図１５に示すような時間ベース調整画面５９に切り替わる。この時間ベース調整画面５９には、波形表示部５９ａ、着床ベースパターンボタン５６ｂ、距離ベースパターンボタン５６ｃ、時間ベースパターンボタン５６ｄ、トップボタン５２ｅ、終了ボタン５０ｄ、確定ボタン５４ｄが設けられている。
【００６１】
波形表示部５９ａには、走行制御に関する客先の仕様データに基づいて乗りかご１４の走行制御パターンの波形５７ｂが表示されると共に、その波形５７ｂの中で設定変更可能な部分がポインタ５９ｂにて明示される。このポインタ５９ｂをドラッグ操作などで移動させると、それに伴い波形が変更される。図１５の例では、乗りかご１４の移動時間をポインタ５９ｂの操作にて調整変更するように構成されている。確定ボタン５４ｄを押下すると、変更後の波形に基づいてデータが確定され、マイコン基板１２に転送されてメモリ１２ａに設定される。
【００６２】
一方、上記客先仕様画面５２において、「ドア調整」の項目選択ボタン５２ｄを押下すると（ステップＳ２５のＹｅｓ）、図１６に示すようなドア調整画面６０が表示され、かごドアの調整に関する処理が実行される（ステップＳ２６）。
【００６３】
ドア調整画面６０には、データ表示部６０ａ、ドア速度パターンボタン６０ｂ、トップボタン５２ｅ、終了ボタン５０ｄが設けられている。データ表示部６０ａには、かごドアに関する客先の仕様データが表示される。ドア速度パターンボタン６０ｂは、かごドアの速度パターンの調整を行うためのボタンである。
【００６４】
ここで、ドア速度パターンボタン６０ｂを押下すると、図１７に示すようなドア速度調整画面６１に切り替わる。このドア速度調整画面６１には、波形表示部６１ａ、ドア速度パターンボタン６０ｂ、トップボタン５２ｅ、終了ボタン５０ｄ、確定ボタン５４ｄが設けられている。
【００６５】
波形表示部６１ａには、走行制御に関する客先の仕様データに基づいてかごドアの速度パターンの波形６１ｂが表示されると共に、その波形６１ｂの中で設定変更可能な部分がポインタ６１ｃにて明示される。このポインタ６１ｃをドラッグ操作などで移動させると、それに伴い波形が変更される。図１７の例では、かごドアの減速時の速度をポインタ６１ｃの操作にて調整変更するように構成されている。確定ボタン５４ｄを押下すると、変更後の波形に基づいてデータが確定され、マイコン基板１２に転送されてメモリ１２ａに設定される。
【００６６】
また、各画面において、終了ボタン５０ｄの押下により調整操作の終了を指示すると（ステップＳ２７のＹｅｓ）、ここでの処理が終了する。
【００６７】
図５は上記ステップＳ２２、ステップＳ２４、ステップＳ２６で実行される調整処理の詳細を示すフローチャートである。
【００６８】
上述したように、設定変更の対象となる項目の選択操作に伴い、現場に設置されたエレベータの仕様データに基づいて、上記選択された項目のデータに対応した波形が端末画面上に表示される（ステップＳ１０１）。その際、表示された波形の中で設定変更可能な部分がポインタ等により明示される（ステップＳ１０２）。
【００６９】
ここで、保守員がドラッグ操作により上記設定変更可能な部分を移動させると（ステップＳ１０３）、その操作に伴い当該波形が変更される（ステップＳ１０４）。そして、確定操作を行うと（ステップＳ１０５のＹｅｓ）、その変更後の波形に対応したデータが生成され、マイコン基板１２に転送されてメモリ１２ａの当該項目に対応した領域に記憶される（ステップＳ１０６）。
【００７０】
このように、保守端末装置２１の表示画面上に設定変更の対象となる項目の波形を表示し、それを直接変更するといった操作により、当該項目のデータを制御盤１１内のマイコン基板１２に簡単に設定することができる。したがって、従来のように計測器を用いて波形を確認しながら、データ入力を繰り返すといったような面倒な作業は不要であり、コンピュータに対する専門的な知識がなくても、誰でも簡単にデータの設定変更を行うことができる。
【００７１】
また、客先のエレベータの仕様データに基づいて各項目の波形が表示されるので、その波形を部分的に変更することにより、簡単にデータの設定変更を行うことができる。
【００７２】
また、この保守端末装置２１には認証機能が設けられているので、予め使用が許可された者だけがデータの設定変更操作を行うことができる。これにより、不正使用によるデータの改ざんなどを防止して安全を確保できる。
【００７３】
なお、上記実施形態では、現場に設置されたエレベータの仕様データに基づいて、その波形を保守端末装置２１の表示画面上に表示するものとしたが、例えばマイコン基板１２のメモリ１２ａに現在設定されている各項目のデータを読み出し、これらのデータに対応した波形を端末画面に表示し、その波形を基準にして上記同様の設定変更操作を行うことも可能である。
【００７４】
また、保守端末装置２１のマイコン基板１２に対する接続形態は、有線に限らず、無線であっても良い。無線の場合には、保守端末装置２１とマイコン基板１２のそれぞれに無線機を搭載することで実現できる。
【００７５】
また、保守端末装置２１としては、例えば携帯電話機やＰＤＡ（Personal Digital Assistants）などでも良く、保守員が持ち運び可能な小型の電子機器であれば良い。
【００７６】
要するに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００７７】
【図１】図１は本発明の一実施形態に係る保守端末装置が適用されるエレベータの構成を示す図である。
【図２】図２は同実施形態における保守端末装置の機能構成を示すブロック図である。
【図３】図３は同実施形態における保守端末装置の画面階層構造を示す図である。
【図４】図４は同実施形態における保守端末装置の処理動作を示すフローチャートである。
【図５】図５は同実施形態における保守端末装置による調整処理の詳細を示すフローチャートである。
【図６】図６は同実施形態における保守端末装置の利用者認証画面の構成を示す図である。
【図７】図７は同実施形態における保守端末装置の客先検索画面の構成を示す図である。
【図８】図８は同実施形態における保守端末装置の客先仕様画面の構成を示す図である。
【図９】図９は同実施形態における保守端末装置の荷重調整画面の構成を示す図である。
【図１０】図１０は同実施形態における保守端末装置の上昇調整画面の構成を示す図である。
【図１１】図１１は同実施形態における保守端末装置の下降調整画面の構成を示す図である。
【図１２】図１２は同実施形態における保守端末装置の乗心地調整画面の構成を示す図である。
【図１３】図１３は同実施形態における保守端末装置の着床ベース調整画面の構成を示す図である。
【図１４】図１４は同実施形態における保守端末装置の距離ベース調整画面の構成を示す図である。
【図１５】図１５は同実施形態における保守端末装置の時間ベース調整画面の構成を示す図である。
【図１６】図１６は同実施形態における保守端末装置のドア調整画面の構成を示す図である。
【図１７】図１７は同実施形態における保守端末装置のドア速度調整画面の構成を示す図である。
【符号の説明】
【００７８】
１１…制御盤、１２…マイコン基板、１２ａ…メモリ、１３…モータ制御基板、１４…乗りかご、１５…かご内制御基板、１６…ドア制御基板、１７…乗場制御基板、１８…巻上機、１９…ロープ、２０…カウンタウェイト、２１…保守端末装置、２２…監視センタ、２３…データ変換基板、２４…光ケーブル、２５…ネットワーク、３１…制御部、３１ａ…認証部、３１ｂ…仕様データ取得部、３１ｃ…波形表示部、３１ｄ…波形変更部、３１ｅ…データ設定部、３２…操作部、３３…表示部、３４…記憶部、３４ａ…プログラム記憶領域、３４ｂ…ＩＤ記憶領域、３４ｃ…パスワード記憶領域、３５…通信部、３６…インタフェース部、５０…利用者認証画面、５１…客先検索画面、５２…客先仕様画面、５３…荷重調整画面、５４…上昇調整画面、５５…下降調整画面、５６…乗心地調整画面、５７…着床ベース調整画面、５８…距離ベース調整画面、５９…時間ベース調整画面、６０…ドア調整画面、６１…ドア速度調整画面。
【図１】
2008037629.tif 000003
【図２】
2008037629.tif 000004
【図３】
2008037629.tif 000005
【図４】
2008037629.tif 000006
【図５】
2008037629.tif 000007
【図６】
2008037629.tif 000008
【図７】
2008037629.tif 000009
【図８】
2008037629.tif 000010
【図９】
2008037629.tif 000011
【図１０】
2008037629.tif 000012
【図１１】
2008037629.tif 000013
【図１２】
2008037629.tif 000014
【図１３】
2008037629.tif 000015
【図１４】
2008037629.tif 000016
【図１５】
2008037629.tif 000017
【図１６】
2008037629.tif 000018
【図１７】
2008037629.tif 000019